【手続補正書】
【提出日】平成19年8月16日(2007.8.16)
【手続補正１】
【補正対象書類名】特許請求の範囲
【補正対象項目名】全文
【補正方法】変更
【補正の内容】
【特許請求の範囲】
【請求項１】
現在時刻を計時する時計手段と、所望の時刻に報知音声を発生させるまたは外部機器を制御するためのプログラムを設定するプログラム設定手段と、設定されたプログラムを記憶するプログラム記憶手段と、現在時刻がプログラム記憶手段に記憶しているプログラムの設定時刻と一致したときに報知音声を発生させるまたは外部機器を制御する制御出力を出力する出力制御手段と、標準時刻信号を含む標準時刻電波を受信する電波受信手段と、異なる周波数の複数の標準時刻電波のうちから受信する標準時刻電波を選択する周波数選択手段と、受信した標準時刻電波から標準時刻の時刻コードを形成するパルスを含む時刻コード形成パルスを生成する時刻コード形成パルス生成手段と、生成された時刻コード形成パルスを標準時刻の時刻コードとする時刻コード化手段と、時刻コードから標準時刻を生成する時刻データ生成手段と、生成した標準時刻に基づいて時計手段の現在時刻を修正する指示を時刻修正手段に与える電波受信制御手段とを備えることを特徴とするプログラムタイマー。
【請求項２】
前記時刻コード化手段での時刻コード化状態、前記時刻データ生成手段での時刻データ生成状態を記憶する電波受信動作制御状態記憶手段を備え、生成された時刻コード形成パルスを標準時刻の時刻コードとする時刻コード化状態である場合、前記電波受信制御手段は、時刻コードから生成された標準時刻に基づいて前記時計手段の現在時刻を修正することを特徴とする請求項１記載のプログラムタイマー。
【請求項３】
手動操作で前記電波受信手段に標準時刻電波を強制受信させる強制受信操作手段を備え、前記電波受信制御手段は、強制受信時に生成された時刻コード形成パルスを標準時刻の時刻コードとする時刻コード化を試行するように前記時刻コード化手段を制御し、時刻コードから生成された標準時刻に基づいて前記時計手段の現在時刻を修正することを特徴とする請求項１記載のプログラムタイマー。
【請求項４】
受信した電波の電界強度を判定する電界強度判定手段と、時刻コード形成パルスのパルス幅に基づいて時刻コード形成パルスの信頼度を判定する時刻コード形成パルス信頼度判定手段と、電界強度と時刻コード形成パルスの信頼度とに基づいて受信した電波が標準時刻電波である可能性を示す電波強度を判定する電波強度判定手段と、電波強度を表示する電波強度表示手段とを備えることを特徴とする請求項１乃至３いずれか記載のプログラムタイマー。
【請求項５】
前記時計手段の現在時刻の修正の成否を判定する受信状況判定手段と、現在時刻の修正が成功している場合に受信完了状態を表示する受信完了表示手段とを備えることを特徴とする請求項１乃至４いずれか記載のプログラムタイマー。
【請求項６】
標準時刻電波を受信して前記時計手段の現在時刻を修正した受信曜日を記憶する受信曜日記憶手段と、受信曜日記憶手段に記憶している受信曜日を表示する受信曜日表示手段と、手動操作によって受信曜日表示手段に受信曜日を表示させる受信曜日確認操作手段とを備えることを特徴とする請求項１乃至５いずれか記載のプログラムタイマー。
【請求項７】
前記電波受信手段と、前記周波数選択手段と、周波数選択手段で選択した標準時刻電波の周波数を表示する受信周波数表示手段と、前記時刻コード形成パルス生成手段と、前記時刻コード形成パルス信頼度判定手段と、前記電界強度判定手段と、前記電界強度判定手段によって判定された電界強度を表示する電界強度表示手段と、伝送する信号の電圧を変換する信号電圧変換手段とを備える電波受信ユニットと、
前記時計手段と、前記出力制御手段と、電波受信ユニットから伝送された信号の電圧を変換する信号電圧変換手段とを備えるプログラムタイマー本体と、
前記時計手段と、前記プログラム設定手段と、前記プログラム記憶手段とを備える設定器とから構成され、
電波受信ユニットとプログラムタイマー本体とは、ケーブルを介して電気的に接続していることを特徴とする請求項１乃至６いずれか記載のプログラムタイマー。
【請求項８】
前記電波受信ユニットは、外部から電源を供給される外部電源接続手段と、接続する外部電源を切り換える切換手段とを含む受信ユニット電源形成手段を備え、
前記プログラムタイマー本体と電波受信ユニットに端子台を各々設けて、前記ケーブルの両端を各端子台に接続して電気的接続を行う、
または、プログラムタイマー本体から直接、前記ケーブルを引き出して電波受信ユニットの端子台に接続して電気的接続を行う、
または、電波受信ユニットから直接、前記ケーブルを引き出してプログラムタイマー本体の端子台に接続して電気的接続を行う、
または、プログラムタイマー本体から直接、前記ケーブルを引き出して電波受信ユニットに直接ケーブルを引き込んで電気的接続を行う、
ことを特徴とする請求項７記載のプログラムタイマー。
【請求項９】
前記プログラムタイマー本体は、停電時の電源として用いる停電補償用電池を備え、前記電波受信ユニットの外部電源接続手段は、当該停電補償用電池を接続可能に構成されることを特徴とする請求項８記載のプログラムタイマー。
【請求項１０】
前記電波受信ユニットとプログラムタイマ本体との接続状態を判定する電波受信ユニット接続状態判定手段と、当該電波受信ユニット接続状態判定手段の判定結果を表示する電波受信ユニット接続状態表示手段とを備えることを特徴とする請求項８または９記載のプログラムタイマー。
【請求項１１】
前記電波受信ユニットの外部電源接続手段に接続された外部電源の状態を判定する電源状態判定手段と、当該電源状態判定手段の判定結果を表示する電源状態表示手段とを備えることを特徴とする請求項８乃至１０いずれか記載のプログラムタイマー。
【請求項１２】
前記電波受信ユニットの時刻コード形成パルス信頼度判定手段の判定結果を表示する時刻コード形成パルス信頼度表示手段を備えることを特徴とする請求項８乃至１１いずれか記載のプログラムタイマー。
【請求項１３】
前記電波受信ユニットは、前記周波数選択手段で選択した標準時刻電波の周波数に応じた信号を生成する受信周波数識別信号生成手段を備え、前記受信周波数表示手段は、受信周波数識別信号生成手段の出力によって標準時刻電波の周波数を表示することを特徴とする請求項８乃至１２いずれか記載のプログラムタイマー。
【手続補正２】
【補正対象書類名】明細書
【補正対象項目名】全文
【補正方法】変更
【補正の内容】
【発明の詳細な説明】
【発明の名称】プログラムタイマー
【技術分野】
【０００１】
本発明は、学校、塾、公共施設、事務所、工場などにおいて、希望する時刻にチャイム音、メロディー、アナウンス等の報知音声の鳴動、外部機器の制御を行うプログラムタイマーに関するものである。
【背景技術】
【０００２】
従来、現在時刻を計時する手段と、現在時刻が記憶手段に記憶しているプログラムの設定時刻と一致したときに報知音を発生させたり、外部機器を制御するプログラムタイマーがあり、報知音の発生用プログラムや外部機器の制御用プログラムを設定する設定器をタイマー本体に着脱自在に取り付けることで、設定器をタイマー本体から外してプログラム設定を行うことができ、設定操作を簡単にしている。（例えば、特許文献１参照）
【特許文献１】特開平６−２８９１５８号公報
【発明の開示】
【発明が解決しようとする課題】
【０００３】
しかしながら、上記従来のプログラムタイマーは、標準時刻信号を含む標準時刻電波を受信し、標準時刻に基づいて時計手段の現在時刻を修正することができない。
【０００４】
本発明は、上記事由に鑑みてなされたものであり、請求項１の発明は、標準時刻信号を含む標準時刻電波を受信し、標準時刻に基づいて時計手段の現在時刻を修正することができるプログラムタイマーを提供することを目的とする。
【０００５】
請求項２の発明は、自動的に時計手段の現在時刻を修正することができるプログラムタイマーを提供することを目的とする。
【０００６】
請求項３の発明は、手動操作によって時計手段の現在時刻を修正することができるプログラムタイマーを提供することを目的とする。
【０００７】
請求項４の発明は、受信電波が標準時刻電波である可能性を示す電波強度を表示可能なプログラムタイマーを提供することを目的とする。
【０００８】
請求項５の発明は、時計手段の現在時刻の修正の成否を表示可能なプログラムタイマーを提供することを目的とする。
【０００９】
請求項６の発明は、時計手段の現在時刻を修正した受信曜日を表示可能なプログラムタイマーを提供することを目的とする。
【００１０】
請求項７の発明は、電波受信ユニット単独で標準時刻電波を受信可能な位置を確認して設置でき、プログラムタイマー本体は標準時刻電波受信の可否に関わらず任意の位置に設置することができるプログラムタイマーを提供することを目的とする。
【課題を解決するための手段】
【００１１】
請求項１の発明は、現在時刻を計時する時計手段と、所望の時刻に報知音声を発生させるまたは外部機器を制御するためのプログラムを設定するプログラム設定手段と、設定されたプログラムを記憶するプログラム記憶手段と、現在時刻がプログラム記憶手段に記憶しているプログラムの設定時刻と一致したときに報知音声を発生させるまたは外部機器を制御する制御出力を出力する出力制御手段と、標準時刻信号を含む標準時刻電波を受信する電波受信手段と、異なる周波数の複数の標準時刻電波のうちから受信する標準時刻電波を選択する周波数選択手段と、受信した標準時刻電波から標準時刻の時刻コードを形成するパルスを含む時刻コード形成パルスを生成する時刻コード形成パルス生成手段と、生成された時刻コード形成パルスを標準時刻の時刻コードとする時刻コード化手段と、時刻コードから標準時刻を生成する時刻データ生成手段と、生成した標準時刻に基づいて時計手段の現在時刻を修正する指示を時刻修正手段に与える電波受信制御手段とを備えることを特徴とする。
【００１２】
この発明によれば、標準時刻信号を含む標準時刻電波を受信し、標準時刻に基づいて時計手段の現在時刻を修正することができる。
【００１３】
請求項２の発明は、請求項１において、前記時刻コード化手段での時刻コード化状態、前記時刻データ生成手段での時刻データ生成状態を記憶する電波受信動作制御状態記憶手段を備え、生成された時刻コード形成パルスを標準時刻の時刻コードとする時刻コード化状態である場合、前記電波受信制御手段は、時刻コードから生成された標準時刻に基づいて前記時計手段の現在時刻を修正することを特徴とする。
【００１４】
この発明によれば、自動的に時計手段の現在時刻を修正することができる。
【００１５】
請求項３の発明は、請求項１において、手動操作で前記電波受信手段に標準時刻電波を強制受信させる強制受信操作手段を備え、前記電波受信制御手段は、強制受信時に生成された時刻コード形成パルスを標準時刻の時刻コードとする時刻コード化を試行するように前記時刻コード化手段を制御し、時刻コードから生成された標準時刻に基づいて前記時計手段の現在時刻を修正することを特徴とする。
【００１６】
この発明によれば、手動操作によって時計手段の現在時刻を修正することができる。
【００１７】
請求項４の発明は、請求項１乃至３いずれかにおいて、受信した電波の電界強度を判定する電界強度判定手段と、時刻コード形成パルスのパルス幅に基づいて時刻コード形成パルスの信頼度を判定する時刻コード形成パルス信頼度判定手段と、電界強度と時刻コード形成パルスの信頼度とに基づいて受信した電波が標準時刻電波である可能性を示す電波強度を判定する電波強度判定手段と、電波強度を表示する電波強度表示手段とを備えることを特徴とする。
【００１８】
この発明によれば、受信電波が標準時刻電波である可能性を示す電波強度を表示することができる。
【００１９】
請求項５の発明は、請求項１乃至４いずれかにおいて、前記時計手段の現在時刻の修正の成否を判定する受信状況判定手段と、現在時刻の修正が成功している場合に受信完了状態を表示する受信完了表示手段とを備えることを特徴とする。
【００２０】
この発明によれば、時計手段の現在時刻の修正の成否を表示することができる。
【００２１】
請求項６の発明は、請求項１乃至５いずれかにおいて、標準時刻電波を受信して前記時計手段の現在時刻を修正した受信曜日を記憶する受信曜日記憶手段と、受信曜日記憶手段に記憶している受信曜日を表示する受信曜日表示手段と、手動操作によって受信曜日表示手段に受信曜日を表示させる受信曜日確認操作手段とを備えることを特徴とする。
【００２２】
この発明によれば、時計手段の現在時刻を修正した受信曜日を表示することができる。
【００２３】
請求項７の発明は、請求項１乃至６いずれかにおいて、前記電波受信手段と、前記周波数選択手段と、周波数選択手段で選択した標準時刻電波の周波数を表示する受信周波数表示手段と、前記時刻コード形成パルス生成手段と、前記時刻コード形成パルス信頼度判定手段と、前記電界強度判定手段と、前記電界強度判定手段によって判定された電界強度を表示する電界強度表示手段と、伝送する信号の電圧を変換する信号電圧変換手段とを備える電波受信ユニットと、前記時計手段と、前記出力制御手段と、電波受信ユニットから伝送された信号の電圧を変換する信号電圧変換手段とを備えるプログラムタイマー本体と、前記時計手段と、前記プログラム設定手段と、前記プログラム記憶手段とを備える設定器とから構成され、電波受信ユニットとプログラムタイマー本体とは、ケーブルを介して電気的に接続していることを特徴とする。
【００２４】
この発明によれば、電波受信ユニット単独で標準時刻電波を受信可能な位置を確認して設置でき、プログラムタイマー本体は標準時刻電波受信の可否に関わらず任意の位置に設置することができる。
【００２５】
請求項８の発明は、請求項７において、前記電波受信ユニットは、外部から電源を供給される外部電源接続手段と、接続する外部電源を切り換える切換手段とを含む受信ユニット電源形成手段を備え、前記プログラムタイマー本体と電波受信ユニットに端子台を各々設けて、前記ケーブルの両端を各端子台に接続して電気的接続を行う、または、プログラムタイマー本体から直接、前記ケーブルを引き出して電波受信ユニットの端子台に接続して電気的接続を行う、または、電波受信ユニットから直接、前記ケーブルを引き出してプログラムタイマー本体の端子台に接続して電気的接続を行う、または、プログラムタイマー本体から直接、前記ケーブルを引き出して電波受信ユニットに直接ケーブルを引き込んで電気的接続を行う、ことを特徴とする。
【００２６】
請求項９の発明は、請求項８において、前記プログラムタイマー本体は、停電時の電源として用いる停電補償用電池を備え、前記電波受信ユニットの外部電源接続手段は、当該停電補償用電池を接続可能に構成されることを特徴とする。
【００２７】
請求項１０の発明は、請求項８または９において、前記電波受信ユニットとプログラムタイマ本体との接続状態を判定する電波受信ユニット接続状態判定手段と、当該電波受信ユニット接続状態判定手段の判定結果を表示する電波受信ユニット接続状態表示手段とを備えることを特徴とする。
【００２８】
請求項１１の発明は、請求項８乃至１０いずれかにおいて、前記電波受信ユニットの外部電源接続手段に接続された外部電源の状態を判定する電源状態判定手段と、当該電源状態判定手段の判定結果を表示する電源状態表示手段とを備えることを特徴とする。
【００２９】
請求項１２の発明は、請求項８乃至１１いずれかにおいて、前記電波受信ユニットの時刻コード形成パルス信頼度判定手段の判定結果を表示する時刻コード形成パルス信頼度表示手段を備えることを特徴とする。
【００３０】
請求項１３の発明は、請求項８乃至１２いずれかにおいて、前記電波受信ユニットは、前記周波数選択手段で選択した標準時刻電波の周波数に応じた信号を生成する受信周波数識別信号生成手段を備え、前記受信周波数表示手段は、受信周波数識別信号生成手段の出力によって標準時刻電波の周波数を表示することを特徴とする。
【発明の効果】
【００３１】
以上説明したように、本発明では、標準時刻信号を含む標準時刻電波を受信し、標準時刻に基づいて時計手段の現在時刻を修正することができるという効果がある。
【発明を実施するための最良の形態】
【００３２】
以下、本発明の実施の形態を図面に基づいて説明する。
【００３３】
（実施形態）
本発明の実施形態のプログラムタイマーは、図１に示すように、プログラムタイマー本体１００と、設定器２００と、電波受信ユニット３００とから構成され、図２にプログラムタイマーの斜視図を示し、プログラムタイマー本体１００は壁面などに取り付けられ、設定器２００はプログラムタイマー本体１００に着脱自在に取り付けられ、電波受信ユニット３００はケーブルＬを介してプログラムタイマー本体１００に電気的に接続される。そして、プログラムタイマー本体１００は、設定器２００で設定したプログラムや、外部に設けた人体検知センサーまたは呼出スイッチ等からの外部割込入力に応じて、報知音声の出力制御や外部機器の動作制御を行い、さらにプログラムタイマー本体１００、設定器２００は、標準時刻電波を受信する電波受信ユニット３００からの信号に基づいて現在時刻を修正する。また、図３は設定器２００をプログラムタイマー本体１００から外した状態である。
【００３４】
プログラムタイマー本体１００は、アナログ時計部１０１を前面上部に備え、その下方の右側にチャイム音などの報知音声を発生するスピーカを内蔵するスピーカ部１０２を設け、左側に設定器２００を収納する収納部１０３を形成している。また、外部機器を制御する制御出力を２回路（夫々「回路１」、「回路２」と呼ぶ）備えており、収納部１０３の下方のスイッチ１０４ａ，１０４ｂは、夫々の回路の制御出力を手動で切り換える制御出力手動操作スイッチであり、スイッチ１０４ｃは、アナログ時計部１０１を手動で調節するためのアナログ時計調整スイッチである。さらに、制御出力手動操作スイッチ１０４ａ，１０４ｂの上部には、それぞれのスイッチの操作による制御出力の状態を表示する発光ダイオード等からなる制御出力状態表示器１０５ａ，１０５ｂを設けている。
【００３５】
プログラムタイマー本体１００のハウジング１０６は合成樹脂製であり、壁面への取付時に壁面側に臨むボディ１０６ａと、アナログ時計部１０１が取り付けられた上カバー１０６ｂと、収納部１０３及びスピーカの音出孔１０７が形成された下カバー１０６ｃとで構成されている。また、上カバー１０６ｂはボディ１０６ａに対して開閉自在になっている。収納部１０３には、収納された設定器２００の前面を閉塞する開閉自在な設定器カバー１０８が取り付けられている。
【００３６】
設定器２００を収納する収納部１０３は、矩形状の収納凹部１０３ａが形成され、収納凹部１０３ａの開口縁の上下には設定器２００を着脱する場合に指が挿入される切欠き部１０３ｂ，１０３ｂを形成している。収納凹部１０３ａの底面中央には、プログラムタイマー本体１００を設定器２００に電気的に接続するためのコネクタ１０９を設け、コネクタ１０９の周りには矩形筒状のコネクタガイド１１０を突設して、設定器２００に設けられたコネクタ２０７（図５参照）をコネクタ１０９に導くようにしている。コネクタ１０９の両側には、設定器２００を収納する場合に所定位置に案内するガイドボス１１２，１１２を突設している。また、コネクタ１０９の上下には、設定器２００を機械的に保持する係止片１１１，１１１を突設している。係止片１１１の先端は係止爪１１１ａが内向きに形成されて、係止爪１１１ａの先端面の外周は曲成または面取りされている。
【００３７】
次に、図４は設定器２００の正面図である。設定器２００は矩形箱状に形成され、前面の上部右寄りに液晶ディスプレイからなる表示部２０１を設け、その下部に各種設定用スイッチ２０２（２０２ａ〜２０２ｓ）、録音用ジャック２０３を配置し、左側部にはスライド式のモード切換スイッチ２０４を配置している。
【００３８】
図４における表示部２０１の表示は、モード切換スイッチ２０４が通常（時刻表示）モードにおける表示であり、時／分を表示する略中央の時刻表示部２０１ａとその上部に設けられた曜日表示部２０１ｂとを備え、さらには標準時刻電波受信機能のため電波受信ユニット３００をプログラムタイマー本体１００に接続するので、受信ユニット接続状態表示部２０１ｃと電波強度表示部２０１ｄと受信完了表示部２０１ｅとを備えて、現在時刻（曜日、時、分、秒）、受信ユニット接続状態、電波強度、受信完了を表示している。また、この設定器２００の上下面には、設定器２００を収納部１０３から取り外す場合に切欠き部１０３ｂに露出して操作される取外し釦２０５を設けている。また、プログラムタイマー本体１００から取外された場合にも動作可能とするために、ニッケル・水素電池、リチウム電池、乾電池、太陽電池などを電源として備えている。
【００３９】
図５は、設定器２００の裏面を示す斜視図である。設定器２００の裏面略中央には矩形状の凹部に形成されたガイド受け２０６が形成され、ガイド受け２０６の底面にはコネクタ２０７を設け、ガイド受け２０６の上下には係止片１１１が挿通する挿通孔２０８、２０８が穿設され、ガイド受け２０６の両側にはガイドボス１１２が導かれるガイド孔２０９，２０９が穿設されている。また、電源スイッチ２１０、設定器スピーカー部２１１も配置され、一方の側面には外部電池接続用コネクタ２１２が配置されている。また、設定器２００のハウジング２２０の前面と裏面は、裏面から螺挿したねじ２１３によって４箇所で固定される。
【００４０】
そして、設定器２００は抜け止め状態で収納部１０３内に収納され、設定器２００のコネクタ２０７はプログラムタイマー本体１００のコネクタ１０９に嵌合して電気的に接続される。設定器２００を収納部１０３から外す場合には、切欠き部１０３ｂ内に指を挿入して、両取外し釦２０５，２０５を内側に押し込むことにより、挿通孔２０８を係止片１１１が挿通できる状態とし、設定器２００を前方に引き外せばよい。
【００４１】
次に、電波受信ユニット３００は、受信ユニット本体部３０１、受信ユニット保持部３０２、受信ユニット台３０３とからなり、合成樹脂製の防雨構造であり、屋外に設置することも可能である。
【００４２】
受信ユニット本体部３０１は、上ケース３０４と下ケース３０５とにより外郭を形成し、内部にはアンテナを組み込んだ受信回路部が収納され、上ケース３０４側に露出するように、後述する電源状態表示手段３３５ｄとなる電源状態表示ＬＥＤ３１０と、後述する受信周波数表示手段３３５ｂとなる４０ＫＨｚ受信表示ＬＥＤ３０６ａ、６０ＫＨｚ受信表示ＬＥＤ３０６ｂと、後述する電界強度表示手段３３５ａとなる４つの電界強度表示ＬＥＤ３０７と、後述する時刻コード形成パルス信頼度表示手段３３５ｃとなる信頼度表示ＬＥＤ３０８とを備えている。さらに、ケーブルＬは、受信ユニット本体部３０１内部の受信回路部から一方の受信ユニット保持部３０２を通して電波受信ユニット３００の外部に引き出されており、プログラムタイマー本体１００のボディ１０６ａの上面に穿設した通線孔１１３を介してプログラムタイマー本体１００内の端子台に接続して、プログラムタイマー本体１００から電波受信ユニット３００に電源を供給するとともに、電波受信ユニット３００が受信した標準時刻電波から標準時刻の時刻コードを形成するパルスを生成して、時刻コード形成パルス、時刻コード形成パルス信頼度、電界強度を示す信号をプログラムタイマー本体１００に伝達する。
【００４３】
受信ユニット保持部３０２は、左ケース３０９ａと右ケース３０９ｂとによりコの字状の外郭を形成する。
【００４４】
受信ユニット台３０３は矩形状に形成されて受信ユニット保持部３０２が着脱自在に取り付けられ、受信ユニット保持部３０２の両端間に函体の受信ユニット本体部３０１が回動自在に保持される。そして、受信ユニット台３０３を壁面又は天井などに取り付けた後、受信ユニット本体部３０１を保持した受信ユニット保持部３０２を受信ユニット台３０３に嵌め込むことにより電波受信ユニット３００を壁面又は天井等に取り付けることができる。
【００４５】
そして、電波受信ユニット３００はプログラムタイマー本体１００からケーブルＬを介して分離しており、電波受信ユニット３００単独で標準時刻電波を受信できる位置を確認でき、また、後述するプログラムタイマー本体１００の停電補償用電池を外部電源として使用できるように、プログラムタイマー本体１００の停電補償用電池に接続可能な外部電源接続手段を備えている。
【００４６】
次に、プログラムタイマーの概略構成について図１を用いて説明する。図１に示すプログラムタイマーは、プログラムタイマー本体１００と、設定器２００と、電波受信ユニット３００とで構成され、プログラムタイマー本体１００と設定器２００とは、コネクタ１４５，２２９を介して電気的に接続され、プログラムタイマー本体１００と電波受信ユニット３００とは端子台１４６，３４１間を接続したケーブルＬで電気的に接続される。
【００４７】
図１では、プログラムタイマー本体１００と電波受信ユニット３００に端子台１４６，３４１を各々設けて、端子台１４６，３４１に両端を接続したケーブルＬにて電気的接続を行うようにしているが、プログラムタイマー本体１００から直接ケーブルＬを引き出して電波受信ユニット３００の端子台３４１に接続して電気的接続を行うようにしたり、電波受信ユニット３００から直接ケーブルＬを引き出してプログラムタイマー本体１００の端子台１４６にケーブルＬを接続して電気的接続を行うようにしたり、プログラムタイマー本体１００から直接ケーブルＬを引き出して電波受信ユニット３００に直接ケーブルＬを引き込んで電気的接続を行うようにしてもよい。
【００４８】
プログラムタイマー本体１００は、制御出力手動操作スイッチ１０４ａ，１０４ｂ等の手動スイッチの操作を判定するスイッチ操作判定手段１３０と、外部に設けた人体検知センサーまたは呼出スイッチ等からの外部割込入力の有無を判定する外部割込入力判定手段１３１と、制御出力手動操作スイッチ１０４ａ，１０４ｂ等の手動スイッチの操作または上記外部割込入力の判定に応じた出力状態を選択するとともに選択した出力状態を表示する出力選択・表示手段１３２と、スイッチ操作判定手段１３０、外部割込入力判定手段１３１、設定器２００からの各出力に基づいて行なう内蔵スピーカー（スピーカ部１０２）、外部スピーカー、照明等の動作制御の判定や、スピーカから出力させるメロディ、チャイム音、アナウンス等の報知音声の選択等の判定を行う出力判定手段１３３と、出力判定手段１３３の判定結果を記憶する出力状態判定記憶手段１３４と、現在時刻を計時する時計手段１３５と、この出力判定手段１３３の判定結果及び時計手段１３５の計時出力に基づいて「回路１」の制御出力手段１３７、「回路２」の制御出力手段１３８、報知音声出力手段１３９、アナログ時計出力手段１４０（時計手段１３５とでアナログ時計部１０１を構成する）を制御する出力制御手段１３６とを基本構成として備えている。
【００４９】
また、プログラムタイマー本体１００の本体電源形成手段１４７は、交流電源入力手段１４３からの商用電源を入力としてプログラムタイマー本体１００の各手段に電源を供給するとともに設定器２００の設定器電源形成手段２４８、電波受信ユニット３００の電波受信ユニット電源形成手段３４０にも電源を供給する。
【００５０】
また、手動スイッチ操作表示手段１４１は、発光ダイオード等からなる制御出力状態表示器１０５ａ，１０５ｂを構成する。
【００５１】
さらに、電波受信ユニット３００からの信号の電圧を変換する信号電圧変換手段１４２と、電波受信ユニット３００からの時刻コード形成パルス信号を受けて時刻コード化する時刻コード化手段１２６と、時刻コード化手段１２６から得られる時刻コードに基づいて時刻に変換する時刻データ生成手段１２７と、電波受信ユニット３００からの電界強度及び電波信頼度の各信号に基づいて電波強度を判定して後述する設定器２００の電波強度表示手段２３５ａに電波強度を表示する表示制御手段を含む電波強度判定手段１２８と、時計手段１３５の現在時刻を修正する時刻修正手段１４８と、時刻コード化手段１２６や時刻データ生成手段１２７等の電波受信を制御し受信した標準時刻に基づいて時計手段１３５の現在時刻を修正する時刻修正指示を時刻修正手段１４８に与える電波受信制御手段１２９と、電波受信制御手段１２９の制御状態を記憶する電波受信動作制御状態記憶手段１４９とを備えている。
【００５２】
設定器２００は、報知数設定手段２３１ａ、報知音声信号番号設定手段２３１ｂ、再生・録音・編集操作手段２３１ｃを含みモード切換スイッチ２０４及び各種設定スイッチ２０２を用いて時計設定、プログラム設定・呼出、報知音声信号の再生・録音・編集を行なうプログラム設定手段２３０ａと、強制受信操作手段２３２ａ、受信確認操作手段２３２ｂを含み標準時刻電波受信時の電波受信処理を行なうプログラム設定手段２３０ｂと（以下、プログラム設定手段２３０ａ，２３０ｂを併せてプログラム設定手段２３０と称す）、プログラム設定手段２３０ａで設定されたプログラムを記憶するプログラム記憶手段２３４と、電波強度表示手段２３５ａ、受信完了表示手段２３５ｂ、受信ユニット接続状態表示手段２３５ｃを含んで時計・プログラム・電波受信状態等を表示する表示手段２３５と、プログラム設定手段２３０ａの設定状態及びプログラム記憶手段２３４の記憶内容を表示手段２３５に表示するための表示制御手段２３８と、各種設定スイッチで構成されて時間に関する各種設定を行なう時計設定手段２３９と、時刻を計時する時計手段２４０と、複数の報知音声信号と各報知音声信号に対応した報知音声信号番号とを記憶する報知音声信号記憶手段２４１と、報知音声制御手段２４２を通して報知音声信号記憶手段２４１に報知音声信号を入力する報知音声入力手段２４３と、報知音声制御手段２４２を通して報知音声信号記憶手段２４１から呼び出した報知音声信号を報知音声に変換して出力する報知音声確認手段２４４（設定器スピーカー部２１１）と、プログラム記憶手段２３４のプログラムと時計手段２４０で発生する時刻とに基づいて所定の動作制御、報知音声信号（メロディ、チャイム音、アナウンス等）の選択判断をするプログラム判断手段２４５と、プログラム判断手段２４５の判断結果及びプログラムタイマー本体１００の出力判定手段１３３の判定結果による制御や、モード切換スイッチ２０４の操作に応じて報知音声信号記憶手段２４１に記憶している報知音声信号の再生処理や、外部の報知音声アナログ信号をデジタル信号に変換して報知音声信号記憶手段２４１に記憶させる録音処理や、報知音声信号記憶手段２４１に記憶している報知音声信号の編集処理を制御する報知音声制御手段２４２と、時計手段２４０の現在時刻を修正する時刻修正手段２３３と、受信した標準時刻に基づいて時計手段２４０の現在時刻を修正する時刻修正指示を時刻修正手段２３３に与える電波受信制御手段２４６と、電波受信制御手段２４６の制御状態を記憶する電波受信制御記憶手段２４７と、設定器２００の各手段に電源を供給する設定器電源形成手段２４８とを基本的な機能構成として備えている。
【００５３】
電波受信ユニット３００は、標準時刻信号を含む標準時刻電波を受信する電波受信手段３３１と、異なる周波数の標準時刻電波の中から受信する標準時刻電波を選択する周波数選択手段３３２と、受信した電波から標準時刻の時刻コードを形成するパルスを含む時刻コード形成パルスを生成する時刻コード形成パルス生成手段３３３と、時刻コード形成パルスのパルス幅を判定して時刻コード形成パルスの信頼度を判定する時刻コード形成パルス信頼度判定手段３３４と、電界強度表示手段３３５ａと、電界強度表示手段３３５ａに電界強度を表示する制御手段を含み受信する標準時刻電波の電界強度を判定する電界強度判定手段３３６と、受信周波数識別信号生成手段３３７と、電源状態判定手段３３８と、受信周波数表示手段３３５ｂと、時刻コード形成パルス信頼度表示手段３３５ｃと、電源状態表示手段３３５ｄと、信号電圧変換手段３３９と、電波受信ユニット３００の各手段に電源を供給する受信ユニット電源形成手段３４０とを備えている。さらに、受信ユニット電源形成手段３４０には、外部から電源を供給される外部電源接続手段と、接続する外部電源を切り換える切換手段とを設けている。
【００５４】
図１の構成では、プログラムタイマー本体１００に時刻コード化手段１２６、時刻データ生成手段１２７、電波強度判定手段１２８を備えているが、設定器３００に時刻コード化手段、時刻データ生成手段、電波強度生成手段を備えてもよい。
【００５５】
さらに、プログラムタイマー本体１００の時計手段１３５と設定器２００の時計手段２４０との動作を同期させるために、プログラムタイマー本体１００は時計手段１３５の信号を基に同期信号を出力する同期出力発生手段１４４を備えて、設定器２００は同期出力発生手段１４４からの同期信号を判定する同期入力判定手段２４９と、時計手段２４０の信号を基に同期スタート信号を出力する同期スタート信号発生手段２３６と、設定器２００がプログラムタイマー本体１００に取り付けられたときにコネクタが接続されたことを判定するコネクタ接続判定手段２３７とを備えている。
【００５６】
以下、プログラムタイマー本体１００と設定器２００との各時計手段の同期動作について詳述する。まず、設定器２００がプログラムタイマー本体１００に接続されると、設定器２００ではコネクタ接続判定手段２３７の判定出力からプログラムタイマー本体１００に接続されたことを判断する。その後、時計手段２４０による計時結果で３０秒が経過した時点で、同期スタート信号発生手段２３６からプログラムタイマー本体１００の同期出力発生手段１４４に対して同期スタート信号を送る。同期スタート信号を受けた同期出力発生手段１４４では、内蔵カウンタのカウント値を０にクリアし、その後は１分毎に同期信号を設定器２００に対して送る。設定器２００ではこの同期信号に応じて時計手段２４０の計時時刻を１分毎に修正する。以後、設定器２００がプログラムタイマー本体１００に対して接続されている間は上記修正動作が継続される。
【００５７】
そして、設定器２００では、制御出力手段１３７，１３８から外部機器への制御出力のオン動作の時刻をプログラムで設定するのであるが、制御出力手段１３７，１３８から外部機器への制御出力のオン動作のタイミングを、アナログ時計手段の計時時刻がプログラムでの設定時刻になったときに正確に一致させるためには、制御出力手段１３７，１３８から実際に制御信号が出力される時点より少し前に、設定器２００のプログラム判断手段２４５からの出力をプログラムタイマー本体１００に与える必要がある。そこで、プログラム判断手段２４５の出力をプログラムタイマー本体１００に与えるのに要する時間ΔＴは次のように設定される。
ΔＴ＞ｔ１＋ｔ２＋ｔ３
（ｔ１：プログラムタイマー本体１００で同期入力を検知するのに要する時間，  ｔ２：設定器２００で同期入力を受け付けてから実際に出力を行うまでの処理時間，  ｔ３：プログラムタイマー本体１００で同期入力を検知してから設定器２００で実際に出力を行うまでに発生する設定器２００の時計手段２４０とプログラムタイマー本体１００の計時手段１３５との各計時時刻の互いのずれ）
なお、プログラムタイマー本体１００及び設定器２００は、水晶発振回路（例えば図１５における水晶発振回路１５５）から与えられるサブクロックを同期入力としている。
【００５８】
いま、例えばプログラムタイマー本体１００及び設定器２００が３０ｍｓ毎に与えられる同期入力を２度受け付けたときに同期入力を検知するとすれば、同期入力を検知するのに要する時間ｔ１は、３０ｍｓ≦ｔ１≦６０ｍｓとなる。また、設定器２００のプログラム判断手段２４５の内部処理時間をα（≦１０ｍｓ）とすると、設定器２００で同期入力を受け付けてから実際に出力を行うまでの処理時間ｔ２は、３０ｍｓ＋α≦ｔ２≦６０ｍｓ＋αとなる。さらに、毎正分（秒針が１２を指すとき）から３０秒を経過した時点で、１分毎に上述した時刻修正を行うとすれば、設定器２００の時計手段２４０とプログラムタイマー本体１００の時計手段１３５との計時時刻ずれｔ３は、−５ｍｓ≦ｔ３≦５ｍｓとなる。ここで、５ｍｓは、プログラムタイマー本体１００の水晶発振回路を構成する水晶振動子の発振誤差の最大値である。
【００５９】
以上から、ΔＴ＞１２５ｍｓとなる。よって本実施形態では、制御出力手段１３７，１３８から外部機器への制御出力をオンさせるプログラムの設定時刻に対して、設定時刻の５００ｍｓ前に設定器２００のプログラム判断手段２４５からプログラムタイマー本体１００に出力を与えるようにしている。
【００６０】
次にプログラムタイマーの各種設定について説明する。設定器２００は、図４に示すように、表示部２０１における表示状態の切換や、報知音声信号記憶手段２４１に記憶した報知音声信号の発生プログラムを含む制御プログラムの設定や、その制御プログラムに基づいたプログラムの実行や、録音・再生・編集等のモードの切換を行うモード切換スイッチ２０４を備えている。
【００６１】
また、本実施形態のプログラムタイマーでは、外部機器を異なるプログラムで各々動作制御する２つの制御出力手段１３７，１３８を備えており、設定器２００では、それぞれの制御出力手段１３７，１３８の出力制御を行う制御プログラムの設定、確認、変更を行えるようにしている。また、以下の説明ではそれぞれの制御出力手段１３７，１３８による制御可能な２つの回路をそれぞれ「回路１」，「回路２」と呼ぶ。
【００６２】
モード切換スイッチ２０４は、表示器の左側方に設けられ、上下方向にスライド操作されるスライドスイッチ２０４ａを用いて構成され、スライドスイッチ２０４ａのスライド位置によって各種モードを選択している。このモード切換スイッチ２０４では、（１）時刻表示部２０１ａで時刻表示（曜日、時、分等を表示）を行わせる通常（時刻表示）モードと、（２）年月日または時分秒を表示させるとともに年月日または時分秒を設定・変更させる時計調整モードと、（３）「回路１」の週間プログラムを設定するために必要な表示とスイッチの操作を受け付ける「回路１」週間プログラム設定モードと、（４）「回路１」の週間プログラムの設定内容の確認・変更あるいは設定内容の取消を行うために必要な表示とスイッチの操作を受け付ける「回路１」週間プログラム呼出モードと、（５）「回路１」の休日プログラムを設定するために必要な表示とスイッチの操作を受け付ける「回路１」休日プログラム設定モードと、（６）「回路１」の休日プログラムの設定内容の確認・変更あるいは設定内容の取消を行うために必要な表示とスイッチの操作を受け付ける「回路１」休日プログラム呼出モードと、（７）「回路２」の週間プログラムを設定するために必要な表示とスイッチの操作を受け付ける「回路２」週間プログラム設定モードと、（８）「回路２」の週間プログラムの設定内容の確認・変更あるいは設定内容の取消を行うために必要な表示とスイッチの操作を受け付ける「回路２」週間プログラム呼出モードと、（９）「回路２」の休日プログラムを設定するために必要な表示とスイッチの操作を受け付ける「回路２」休日プログラム設定モードと、（１０）「回路２」の休日プログラムの設定内容の確認・変更あるいは設定内容の取消を行うために必要な表示とスイッチの操作を受け付ける「回路２」休日プログラム呼出モードと、（１１）デジタル信号で記憶した報知音声信号（チャイム音、メロディ、アナウンス）の再生、アナログ信号の報知音声信号をデジタル信号に変換して記憶する録音、デジタル信号で記憶した報知音声信号の編集、報知音声信号記憶手段２４１に記憶した複数の報知音声信号間の出力レベルの調整を行うために必要な表示とスイッチの操作を受け付ける再生・録音・編集モードとのモード切換を行う。
【００６３】
そして、各種設定用スイッチ２０２ａ〜２０２ｓは、各モードにおいて各々の機能に割り付けられるのであるが、設定器２００をプログラムタイマー本体１００に取り付けた状態において、上記（１）通常（時刻表示）モードで、受信曜日確認スイッチがスイッチ２０２ａに割り付けられ、強制受信設定スイッチがスイッチ２０２ｂに割り付けられる。
【００６４】
また、スイッチ２０２ｍ〜スイッチ２０２ｒは、上下方向でシーソ動作が自在な押しボタンとこの押しボタンの操作でオン・オフされる２個のスイッチとで構成されて、プログラム設定手段２３０内では押しボタンの上側を押すと１ずつ加算され、逆に下側を押すと１ずつ減算されて、押しボタンを押し続けると連続的に加算あるいは減算され、その加算値、減算値に応じた処理を行なう。また、スイッチ２０２ａ〜２０２ｉは、押しボタンとスイッチとから構成される周知のプッシュスイッチである。これらのスイッチは、プリント基板に実装されている。
【００６５】
以下、標準時刻に基づいて時計手段１３５，２４０の現在時刻を修正する動作について図６（ａ）〜（ｄ）に基づいて説明する。
【００６６】
まず、日本標準時を高精度で伝える長波は、独立行政法人情報通信研究機構で運用している電波であり、独立行政法人情報通信研究機構では、標準電波と呼んでいるが、本発明の説明においては、時刻情報を含んだ電波であることを明確に表現するため、標準時刻電波と呼ぶ。この標準時刻電波は、福島長波局（おおたかどや山）から４０ＫＨｚの周波数で、九州局（はがね山）から６０ＫＨｚの周波数で送信されている。この標準時刻電波は、長波局からの距離によって変わるとともにアンテナの設置場所（例えば、地形、建物など）や、天候や、電離層の状態の影響、および電力の鉄塔、高圧線、テレビやラジオの送信塔、電車の架線などからの電界あるいは磁界の影響を受けるとともに、航空機、電車、自動車などの運行によって遮断されたり、あるいは反射される。
【００６７】
このような標準時刻電波を電波受信手段３３１で受信する場合には、航空機、電車、自動車、工場、オフィスの電子機器等から発生する標準時刻電波の周波数に近い電波ノイズも同時に取り込むので、電波受信手段３３１における電気信号には、標準時刻電波による電気信号だけでなく、標準時刻電波の周波数に近い電波ノイズによる電気信号、一部欠けた電気信号などがあり、そのレベルも強い電気信号、弱い電気信号がある。
【００６８】
そして、時刻コード形成パルス生成手段３３３は、標準時刻電波から標準時刻の時刻コードを形成するパルスを含む時刻コード形成パルスを生成し、この時刻コード形成パルスは、信号電圧変換手段３３９、端子台３４１，１４６、信号電圧変換手段１４２を介して、プログラムタイマー本体１００の時刻コード化手段１２６に入力される。
【００６９】
時刻コード化手段１２６は、時刻コード形成パルスを標準時刻の時刻コードとし、時刻データ生成手段１２７は、この標準時刻の時刻コードから標準時刻を生成し、電波受信制御手段１２９は、生成された標準時刻に基づいて、時計手段１３５の現在時刻を修正する指示を時刻修正手段１４８に与え、時刻修正手段１４８はこの指示にしたがって時計手段１３５の現在時刻を修正する。
【００７０】
さらに、上記生成された標準時刻は、コネクタ１４５，２２９を介して設定器２００の電波受信制御手段２４６に入力され、電波受信制御手段２４６は、生成された標準時刻に基づいて、時計手段２４０の現在時刻を修正する指示を時刻修正手段２３３に与え、時刻修正手段２３３はこの指示にしたがって時計手段２４０の現在時刻を修正する。
【００７１】
また、時刻コード化手段１２６での時刻コード化状態、時刻データ生成手段１２７での時刻データ生成状態は、電波受信動作制御状態記憶手段１４９に記憶される。
【００７２】
上記現在時刻修正動作は、自動受信動作または強制受信操作によって行われ、自動受信動作時には、標準時刻電波を電波受信手段３３１で定期的に受信し、電波受信制御手段１２９は、電波受信動作制御状態記憶手段１４９に記憶されている時刻コード化状態が、生成された時刻コード形成パルスを標準時刻の時刻コードとする状態であれば、この時刻コードから生成された標準時刻に基づいて時計手段１３５の現在時刻を修正する指示を時刻修正手段１４８に与え、電波受信制御手段２４６も時計手段２４０の現在時刻を修正する指示を時刻修正手段２３３に与える。
【００７３】
また、強制受信時には、強制受信設定スイッチ２０２ｂを手動操作すると、標準時刻電波を電波受信手段３３１で強制的に受信する。そして、電波受信制御手段１２９は、時刻コード化手段１２６に、この強制受信によって生成された時刻コード形成パルスを標準時刻の時刻コードとする時刻コード化を試行させ、この時刻コードから生成された標準時刻に基づいて時計手段１３５の現在時刻を修正する指示を時刻修正手段１４８に与え、電波受信制御手段２４６も時計手段２４０の現在時刻を修正する指示を時刻修正手段２３３に与える。
【００７４】
図６（ａ）〜（ｄ）は、本発明の実施例のプログラムタイマーの標準時刻電波から時刻コード形成パルスを生成するまでの概略信号波形を示す図である。長波局からは、マーカー（Ｍ）及びポジションマーカー（Ｐ０〜Ｐ５）としてパルス幅０．２ｓ±５ｍｓの標準時刻電波、２進数の０としてパルス幅０．８ｓ±５ｍｓの標準時刻電波、２進数の１としてパルス幅０．５ｍｓ±５ｍｓの標準時刻電波が４０ＫＨｚ又は６０ＫＨｚの周波数の搬送波で送信される。図６（ａ）〜（ｄ）では長波局の標準時刻の時刻コードが２５分の例を示す。
【００７５】
図６（ａ）は、長波局における標準時刻電波を示し、長波局の送信出力が決まっているので、標準時刻電波の強さは一定である。
【００７６】
図６（ｂ）は、電波受信手段３３１で受信した標準時刻電波により得られた電気信号波形である。電波受信手段３３１の電気信号波形は、信号レベルのノイズを含む電気信号波形（０秒〜１秒）、うねりを含む電気信号波形（１秒〜２秒）、幅の狭いノイズを含む電気信号波形（２秒〜３秒）、低レベルのノイズを含む電気信号波形（３秒〜４秒）、弱い標準時刻電波による電気信号波形（４秒〜５秒）、強い標準時刻電波による電気信号波形（５秒〜６秒）、高レベルのノイズを含む電気信号波形（６秒〜７秒）、信号が欠けた標準時刻信号波形（７秒〜８秒）などを合わせたものとなる。
【００７７】
図６（ｃ）は、電波受信手段３３１の電気信号波形をゲインコントロールして全波整流し、包絡線検波した後にデコーダ回路に入力したデコーダ回路の出力波形で、時刻コードを反転させた矩形パルスを含んだ電気信号波形である。このデコーダ回路では、４８ｄＢ以上１１０ｄＢ以下の電気信号波形であって、０．１ｓより長く、且つ０．３ｓより短いパルス幅の電気信号波形はマーカー（Ｍ）またはポジションマーカー（Ｐ０〜Ｐ５）として認識し、０．３５ｓより長く、且つ０．５５ｓより短いパルス幅の電気信号波形は２進数の１として認識し、０．６５ｓより長く、且つ０．８５ｓより短いパルス幅の電気信号波形は２進数の０として認識する。また、パルスの立ち上がりが１秒間隔でない電気信号波形、幅の狭い電気信号波形、低レベルの電気信号波形のノイズは無視する。
【００７８】
上記電波受信手段３３１の電気信号波形（図６（ｂ））から時刻コードを反転した矩形パルスを含んだ電気信号波形（図６（ｃ））の形成までは、時刻コード用受信ＩＣにより行われる。この受信ＩＣは、時刻コードの矩形パルスのパルス幅又はパルスの立上り間隔を確認する機能を備えていて、ノイズ又は電界強度の変化による不適切な矩形パルスはデコーダ回路から出力されない。
【００７９】
図６（ｄ）は、デコーダ回路の出力波形を反転させて生成した時刻コードパルスを信号電圧変換した後の時刻コード形成パルスである。この時刻コード形成パルスは、標準時刻電波の伝送による遅れ、電気信号波形のゲインコントロールのための電子回路の立上り特性による遅れ、ゲインコントロール後の電気信号波形を検波して矩形パルスにする電子回路の立上り特性による遅れ等により、長波局の標準時刻電波の立上りに比べて僅かに遅れを生じるが、本発明では、この僅かな遅れについては言及しない。
【００８０】
図４は、設定器２００をプログラムタイマー本体１００に取り付けた状態において、上記（１）通常（時刻表示）モードでの表示部２０１の状態を示しており、表示部２０１には、時刻表示部２０１ａ、曜日表示部２０１ｂに表示される現在時刻（時刻、曜日）の他に、ユニット接続状態表示部２０１ｃ、電波強度表示部２０１ｄ、受信完了表示部２０１ｅが表示される。
【００８１】
受信ユニット接続状態表示部２０１ｃは、電波受信ユニット３００が正しく接続されてプログラムタイマー本体１００から正常に電源が供給され、且つ電波受信ユニット３００から正常に信号が送出されているときに点灯表示する。さらに、誤結線又は未結線等の接続状態が異常なときや、電波受信ユニット３００からの信号が異常なときや、電波受信ユニット３００からの信号がないときには２Ｈｚで点滅する。この受信ユニット接続状態表示部２０１ｃは、図１において、受信ユニット接続状態表示手段２３５ｃに相当し、電波受信制御手段２４６は、電波受信ユニット接続状態判定手段を具備して表示制御を行う。
【００８２】
電波強度表示部２０１ｄは、電波受信ユニット３００からの電界強度及び電波信頼度の各データを基に電波状態を４段階に判定して、その判定結果に応じて３本のバーで表示する。電波状態が最も良い場合はバーが３本点灯し、中レベルの場合はバーが２本点灯し、小レベルの場合はバーが１本点灯し、最も悪い場合は点灯しない。図１において、この電波強度表示部２０１ｄは電波強度表示手段２３５ａに相当しており、電波強度判定手段１２８は、電界強度判定手段３３６で判定した電界強度と、時刻コード形成パルス信頼度判定手段３３４で判定した時刻コード形成パルスの信頼度とに基づいて電波強度を判定し、電波受信制御手段２４６は、電波強度表示手段２３５に電波強度を表示させる。
【００８３】
受信完了表示部２０１ｅは、強制受信操作または自動受信動作時に電波受信ユニット３００で受信した標準時刻電波から標準時刻信号を得ることができ、標準時刻に基づいて時計手段の現在時刻を修正することができたときに点灯し、標準時刻の取得ができず時刻が修正できないときに消灯する。また、強制受信設定スイッチ２０２ｂを押すと、受信完了表示部２０１は点滅する。この受信完了表示部２０１ｅは、図１において、受信完了表示手段２３５ｂに相当し、電波受信制御手段２４６は、現在時刻の修正が成功している場合に受信完了状態を表示する受信状況判定手段を具備して表示制御を行う。
【００８４】
さらに、図７は、標準時刻電波を受信して時計手段の現在時刻を修正した曜日を表示する受信曜日確認中の表示部２０１を示す図である。設定器２００をプログラムタイマー本体１００に取り付けた状態において、モード切換スイッチ２０４を通常（時刻表示）モードに切り換え、受信曜日確認スイッチ２０２ａを押すと、当日より一週間前までの間で、標準時刻電波から標準時刻信号が得られて標準時刻に基づいて時計手段の現在時刻を修正することができた曜日（曜日表示部２０１ｂ）が受信曜日確認中表示部２０１ｆとともに１Ｈｚで点滅して表示される。この曜日の点滅表示は、受信曜日確認スイッチ２０２ａを押してから所定時間（例えば３０秒間）のみ行い、この所定の時間を過ぎると現在の曜日の表示に戻る。また、この曜日を点滅して表示しているときに受信曜日確認スイッチ２０２ａを押すと、点滅している曜日が消灯して現在時刻の現在の曜日が点灯する。この受信曜日確認動作は、図１において、電波受信制御記憶手段２４７に標準時刻電波を受信して時計手段の現在時刻を修正した受信曜日を記憶し、受信確認操作手段２３２ｂによって操作されて表示手段２３５にその受信曜日を表示し、電波受信制御手段２４６によって制御される。
【００８５】
また、図１における周波数選択手段３３２によって、搬送波周波数が４０ＫＨｚ又は６０ＫＨｚの標準時刻電波のうちいずれの電波を受信するか選択できる。さらに、受信周波数識別信号生成手段３３７によって選択した周波数に応じた信号が生成され、受信周波数表示手段３３５ｂには選択した周波数が表示される。本実施形態では、４０ＫＨｚ受信表示ＬＥＤ３０６ａ、６０ＫＨｚ受信表示ＬＥＤ３０６ｂのうちいずれかのＬＥＤが点灯する。
【００８６】
また、時刻コード形成パルス信頼度判定手段３３４によって判定された時刻コード形成パルスの信頼度は、時刻コード形成パルス信頼度表示手段３３５ｃに表示される。本実施形態では、信頼度が一定値以上であれば図２に示す信頼度表示ＬＥＤ３０８が点灯する。
【００８７】
また、受信ユニット電源形成手段３４０に接続された外部電源の状態は電源状態判定手段３３８で判定され、電源状態表示手段３３５ｄに表示される。本実施形態では、動作可能な電源状態であれば図２に示す電源状態表示ＬＥＤ３１０が点灯する。
【００８８】
図８は、プログラムタイマーの動作を制御するプログラムのメインルーチンの一部を示すフローチャートであり、初期処理（ステップＳ１）、停電モード処理（ステップＳ２）、アナログ時計処理（ステップＳ３）、電波受信処理（ステップＳ４）、手動スイッチ制御（ステップＳ５）等で構成されている。
【００８９】
ステップＳ１の初期処理では、内部のレジスタ等の状態を初期状態にリセットする。
【００９０】
ステップＳ２の停電モード処理では、商用電源の停電時に、停電補償用電池による動作に切り替える。
【００９１】
ステップＳ３のアナログ時計制御では、定期的に報知音声記憶更新コマンドを設定器制御回路２５３から報知音声制御回路２７３に送出する処理をしている。
【００９２】
ステップＳ４の電波受信処理では、電波受信ユニット３００で受信した標準時刻電波に基づいて、時計手段１３５，２４０の現在時刻を修正する。
【００９３】
ステップＳ５の手動スイッチ制御では、プログラムタイマー本体１００のスイッチ操作判定を行う。
【００９４】
図９は、プログラムタイマー本体１００におけるステップＳ４の電波受信処理を示すフローチャートである。まず、電波受信機能付であるか否かを判定する（ステップＳ１０）。本実施形態では、電波受信ユニット３００がプログラムタイマー本体１００に接続されており、電波受信機能付であると判定されるが、電波受信ユニット３００が接続されていない場合は電波受信機能付でないと判定されて、処理は終了する。
【００９５】
電波受信機能付であると判定された場合、電波受信ユニット３００から送信された時刻コード形成パルスに基づいて検波データ処理を行い（ステップＳ１１）、次に電波受信ユニット３００からの電界強度及び電波信頼度の各信号に基づいて電波強度を判定する電波強度データ処理を行い（ステップＳ１２）、次に電波受信ユニット３００がプログラムタイマー本体１００に正しく接続されているか否か、電波受信ユニット３００からの信号が正常か否かを判定する受信ユニット接続状態検査を行って（ステップＳ１３）、本処理を終了する。
【００９６】
図１０は、プログラムタイマー本体１００におけるステップＳ１１の検波データ処理を示すフローチャートである。まず、ノイズ防止タイマーが動作中であるか否かを判定する（ステップＳ２０）。このノイズ防止タイマーは、電波受信ユニット３００から送信された時刻コード形成パルスの立ち上がりから９００ｍｓの間に入力された信号は無視するもので、ノイズ防止タイマーが動作中であれば、本処理は終了する。ノイズ防止タイマーが動作中でなければ、現状のフェイズ１の動作に応じて各動作に移行する（ステップＳ２１）。
【００９７】
以下、フェイズ１の動作について、図１１の２００ｍｓのパルス波形を用いて説明する。まず、指示待ち（初期値）状態であればパルスオフ待ちに移行して（ステップＳ２２）（この状態は、図１１中のａに示される）、本処理を終了する。
【００９８】
パルスオフ待ち状態であれば、パルスオフであるか否かを判定する（ステップＳ２３）。パルスオフでなければ本処理を終了する。パルスオフであれば（この状態は、図１１中のｂに示される）、パルスオン待ちに移行して（ステップＳ２４）本処理を終了する。
【００９９】
パルスオン待ち状態であれば、パルスオンであるか否かを判定する（ステップＳ２５）。パルスオンでなければ（この状態は、図１１中のｃに示される）、本処理を終了する。パルスオンであれば（この状態は、図１１中のｄに示される）、パルス計測中に移行し（ステップＳ２６）、パルス長計測を開始して（ステップＳ２７）、本処理を終了する。
【０１００】
パルス計測中状態であれば、パルスオフであるか否かを判定する（ステップＳ２８）。パルスオフでなければ本処理を終了する（この状態は、図１１中のｅに示される）。パルスオフであれば（この状態は、図１１中のｆに示される）、パルスオン待ちに移行して（ステップＳ２９）、パルス長の判定を行う（ステップＳ３０）。このパルス長の判定は、２００ｍｓ±１００ｍｓ、５００ｍｓ±１００ｍｓ、８００ｍｓ±１００ｍｓであればＯＫであり、上記範囲以外であればＮＧであり、パルス長の判定がＯＫの場合は、パルス間隔判定を行い（ステップＳ３１）、パルス長の判定がＮＧの場合は、本処理を終了する。
【０１０１】
パルス間隔の判定は、パルスの立ち下がりから１８００ｍｓの間、パルス間隔チェッカを動作させ、１８００ｍｓの範囲外で次のパルスの立ち下がりが発生した場合（ＮＧ）、後述するブロックワークバッファＢＢを初期化する（ステップＳ３２）。
【０１０２】
そして、ブロックワークバッファＢＢを初期化した後、あるいはパルス間隔の判定において１８００ｍｓの範囲内で次のパルスの立ち下がりが発生した場合（ＯＫ）、データ分析処理を行い（ステップＳ３３）、ノイズ防止タイマをスタートさせて（ステップＳ３４）、本処理を終了する。
【０１０３】
なお、図１１中のチェック間隔Ｔ１は数ｍｓである。
【０１０４】
次に、図１２（ａ）〜（ｉ）に、自動受信時における時刻コード化手段１２６，時刻データ生成手段１２７でのステップＳ３３のデータ分析処理の流れを示す。まず、分位置が確定するまでは、６０桁のブロックバックバッファＢＢに順番にデータを格納する（図１２（ａ））。マーカＭが２回連続し、且つ２回目のマーカＭの９秒後にマーカＭが発生して分位置が確定した時点で、分データのみを１段目バッファＦＢに転送する（図１２（ｂ））。
【０１０５】
次に、１段目バッファＦＢに続きのデータを格納する（図１２（ｃ））。
【０１０６】
次に、１段目バッファＦＢのデータが完成した時点でデータを数値化し、受信バッファＲＢへ格納する（図１２（ｄ））。
【０１０７】
次に、受信バッファＲＢのデータにあり得ない数値があるか否かを調べて、正当性をチェックし、正当なデータであれば１分桁上げを行う（図１２（ｅ））。
【０１０８】
次に受信バッファＲＢのデータを比較用バッファＣＢに格納する（図１２（ｆ））。
【０１０９】
そして、次の１分間のデータについて上記図１２（ａ）〜（ｄ）の処理を実施し、受信バッファＲＢのデータと比較用バッファＣＢのデータとを比較し（図１２（ｇ））、比較結果が一致すれば、受信バッファＲＢのデータの通算日から月日を算出して、通信用バッファＡＢに格納し（図１２（ｈ））、前回、設定器２００に送信した時刻に対して「時」または「日」または「月」または「年」が変わっているときのみ、通信用バッファＡＢのデータを１分桁上げし、次の０秒のタイミングで設定器２００にデータを送信する（図１２（ｉ））。
【０１１０】
自動受信時においては上記動作を毎分繰り返し行う。
【０１１１】
さらに、図１３（ａ）〜（ｇ）に、強制受信時におけるステップＳ３３のデータ分析処理の流れを示す。まず、分位置が確定するまでは、６０桁のブロックバックバッファＢＢに順番にデータを格納する（図１３（ａ））。マーカＭが２回連続し、且つ２回目のマーカＭの９秒後にマーカＭが発生して分位置が確定した時点で、分データのみを１段目バッファＦＢに転送する（図１３（ｂ））。
【０１１２】
次に、２段目バッファＳＢに続きのデータを格納する（図１３（ｃ））。
【０１１３】
次に、２段目バッファＳＢにマーカＭが格納された時点で、１段目バッファＦＢと２段目バッファＳＢの有効／無効を判定し、２段目バッファＳＢが有効であれば２段目バッファＳＢのデータを１段目バッファＦＢに格納する（図１３（ｄ）。
【０１１４】
次に、上記図１３（ｄ）の処理を繰り返し、１段目バッファＦＢのデータが完成した時点でデータを数値化し、受信バッファＲＢへ格納する（図１３（ｅ））。
【０１１５】
次に、受信バッファＲＢのデータにあり得ない数値があるか否かを調べて、正当性をチェックし、正当なデータであれば１分桁上げを行う（図１３（ｆ））。
【０１１６】
次に受信バッファＲＢのデータを比較用バッファＣＢに格納し、受信バッファＲＢに比較用のデータが完成するまで０秒のタイミング毎に分の桁上げを行う（図１３（ｇ））。
【０１１７】
そして、次の１分間以降のデータについて上記図１３（ａ）〜（ｅ）の処理を実施する。
【０１１８】
次に、受信バッファＲＢのデータと比較用バッファＣＢのデータとを比較し（図１３（ｈ））、比較結果が一致すれば、受信バッファＲＢのデータの通算日から月日を算出して、通信用バッファＡＢに格納し（図１３（ｉ））、通信用バッファＡＢのデータを１分桁上げし、次の０秒のタイミングで設定器２００にデータを送信する（図１３（ｊ））。
【０１１９】
なお、強制受信開始から１５分経過しても通信用バッファＡＢにデータがない場合は、受信動作を強制的に終了させる。
【０１２０】
図１４は、事務所などにプログラムタイマーを設置し、このプログラムタイマーの制御により工場Ｃ内の制御盤５２０を介した照明５３０の点灯制御（照明用の電源は分電盤５１０から供給される）、あるいは報知音声信号増幅装置４００を介してスピーカ部５００から始業、終業及び休み時間などを知らせるチャイム音、あるいは休み時間などのＢＧＭとして流すメロディーの発生制御を行う一構成例を示している。プログラムタイマー本体１００及び設定器２００、報知音声信号増幅装置４００を事務所Ａ内に設置し、事務所Ａの出入口には人体感知センサ４１０、呼出スイッチ４２０を設定して来客検知を行なう。
【０１２１】
また、別事務所Ｂ内には電波受信ユニット３００が配置され、ケーブルＬを介して事務所Ａ内のプログラムタイマー本体１００の端子台ＴＢＡに接続されており、標準時刻電波の標準時刻信号により時刻修正を行う。別事務所Ｂ内のスピーカ部６００からの報知音声出力は、プログラムによる設定時間だけでなく、人体感知センサ４１０、呼出スイッチ４２０の無電圧接点出力による外部割込み制御によってもオン・オフされる。
【０１２２】
図１４のシステム説明図では、電波受信ユニット３００を別事務所Ｂに設置しているが、本実施形態の電波受信ユニット３００は、プログラムタイマー本体１００の近傍や建物の屋外の側壁に取り付けできるように防雨構造としている。
【０１２３】
次に、図１５〜図１７は、図１のプログラムタイマーの概略構成を具体回路で表したもので、図１５にプログラムタイマー本体１００の具体回路構成、図１６に設定器２００の具体回路構成、図１７に電波受信ユニット３００の具体回路構成を各々示す。
【０１２４】
プログラムタイマー本体１００−設定器２００間はコネクタＣＮ６ａ−ＣＮ６ｂ（コネクタ１０９−２０７）を介して接続され、設定器２００−電波受信ユニット３００間は端子台ＴＢ２−ＴＢ３（端子台１４６−３４１）を介して接続される。
【０１２５】
プログラムタイマー本体１００は、電源基板１００ａ、制御基板１００ｂ、スイッチ基板１００ｃからなり、電源基板１００ａ−制御基板１００ｂ間はコネクタＣＮ３ａ−ＣＮ３ｂで接続され、制御基板１００ｂ−スイッチ基板１００ｃ間はコネクタＣＮ４ａ−ＣＮ４ｂ、コネクタＣＮ５ａ−ＣＮ５ｂで接続される。
【０１２６】
電源基板１００ａは、本体電源回路１５０、報知音声信号増幅回路１６５、リレー駆動回路１６９、受信回路１７１、報知音声信号ジャック１７３を実装し、コネクタＣＮ７、ＣＮ８を介してトランス１５１の両端に接続している。
【０１２７】
制御基板１００ｂは、本体信号電源回路１５２、停電補償用電池１５３、本体制御回路１５４、水晶発振回路１５５、テスト周波数発振回路１５７、本体／設定器切換回路１５８、液晶１６０、キーマトリクス１６３、報知音声増幅回路１６４、増幅回路（マイク）１６８、本体Ｉ／Ｏ部１７２、リセット回路１７４を実装し、アナログ時計部１５９が接続している。
【０１２８】
スイッチ基板１００ｃは、手動出力切換スイッチ１５９、マイク信号入力ジャック１６７、リレー出力中表示回路１７０を実装している。
【０１２９】
設定器２００は、設定器基板２００ａ上に実装された設定器電源回路２５０、停電補償用電池２５１、報知音声録音再生回路２５２、設定器制御回路２５３、本体／設定器切換回路２５４、クロック発振回路２５５，２６７，２７４、リセット回路２５６、テスト周波数発振回路２５７、液晶２６１、記憶回路２６２、操作部２６５、キーマトリクス２６６、増幅回路２６９、キー受付音発振回路２７１、設定器Ｉ／Ｏ部２７２、報知音声制御回路２７３と、録音信号入力ジャック２６８と、コネクタＣＮ７を介して設定器基板２００ａに接続された設定器内蔵スピーカ２７０とを備える。
【０１３０】
電波受信ユニット３００は、受信ユニット電源回路３５０と、電波受信制御回路３５１と、バーアンテナ３５２と、電波受信回路３５３と、通信回路３５４と、リセット回路３５５と、クロック発振回路３５６と、受信周波数表示ＬＥＤ３０６（３０６ａ，３０６ｂ）、電界強度表示ＬＥＤ３０７、時刻コード形成パルス信頼度表示ＬＥＤ３０８とを受信ユニット基板３００ａ上に実装している。
【０１３１】
まず、プログラムタイマー本体１００について説明する。本体電源回路１５０は、商用電源からの電源を後述する各回路に供給するもので、商用電源を降圧するトランス１５１の出力を整流平滑する整流平滑回路及びさらに降圧する降圧回路とで構成され、本体信号電源回路１５２等の各回路、設定器２００の設定器電源回路２５０、電波受信ユニット３００の受信ユニット電源回路３５０にも電源を供給している。
【０１３２】
本体信号電源回路１５２と設定器２００の設定器電源回路２５０には、停電時などにおける非常電源として、ニッケル・水素電池などの停電補償用電池１５３，２５１を接続しているが、この停電補償用電池１５３，２５１の充放電は図示しない充放電切換回路で各々切り換えられる。つまり、充放電切換回路は、商用電源供給時には本体電源回路１５０の出力で停電補償用電池１５３，２５１を充電し、プログラムタイマー本体１００に設定器２００、電波受信ユニット３００が取り付けられた状態で停電した時には、プログラムタイマー本体１００の停電補償用電池１５３を外部電池として設定器電源回路２５０、受信ユニット電源回路３５０に電源供給する。なお、設定器２００においては、プログラムタイマー本体１００の停電補償用電池１５３が消耗すると自器の停電補償用電池２５１から電源供給を行なう。また、設定器２００をプログラムタイマー本体１００から取り外した場合は、充放電回路によって自器の停電補償用電池２５１から電源供給を行なうように動作する。
【０１３３】
さらに、停電補償用電池１５３にはコネクタＣＮ１ａが接続されており、このコネクタＣＮ１ａは、設定器電源回路２５０及び受信ユニット電源回路３５０の各入力に接続されたコネクタＣＮ１ｂ，ＣＮ１ｃに接続可能で、停電補償用電池１５３を、設定器電源回路２５１または受信ユニット電源回路３５０に外部電池として容易に接続できるようにしている。例えば、設定器２００の消費電力が大きくなる再生・録音・編集モード時にはＣＮ１ａ，ＣＮ１ｃを介してプログラムタイマー本体１００の停電補償用電池１５３から設定器電源回路２５０に電源供給する。さらに、電池切れを検出するために本体信号電源回路１５２、設定器電源回路２５０には電池電圧の検出回路を設けており、この電池容量のチェック時にも充放電切換回路を動作させる。
【０１３４】
本体制御回路１５４は、中枢的な機能を果たす１つのマイクロコンピュータにプログラムタイマー本体１００の制御機能と設定器２００のの制御機能との２つの制御機能を内蔵しているため、本体制御機能として使用する場合と設定器制御機能として使用する場合とを切換える本体／設定器切換回路１５８をマイクロコンピュータの周辺構成として備える。さらに、本体制御回路用クロックを発振する水晶発振回路１５５、テスト周波数発振回路１５７、起動時などに本体制御回路１５４をリセットするリセット回路１７４も同様にマイクロコンピュータの周辺構成として備え、本体制御回路１５４はチャイム音などの鳴動制御、外部機器の制御またはアナログ時計部１５９の駆動制御等の信号処理を行う。
【０１３５】
また、本体制御回路１５４は液晶駆動回路１５６を内蔵しており、手動出力切換スイッチ１５９（制御出力手動操作スイッチ１０４ａ，１０４ｂ）の操作または外部割込入力の判定による出力の選択状態や、各プログラムの内容等を液晶１６０に表示する。
【０１３６】
また、本体制御回路１５４には、各スイッチの操作入力や、設定器２００、電波受信ユニット３００、外部機器からの入力信号が与えられる。例えば、手動出力切換スイッチ１５９（制御出力手動操作スイッチ１０４ａ，１０４ｂ）、アナログ時計調整スイッチ１０４ｃの操作入力や、設定器２００の各スイッチからの入力信号や、手動出力切換スイッチ１５９によって外部機器を動作させたり報知音声を出力させるか否かを選択する外部割込出力選択スイッチからの入力信号や、報知音声の鳴動可否及びメロディ番号の選択を行なうメロディ選択スイッチの入力信号や、人体検知センサー４１０や呼び出しボタン４２０等の外部機器の無電圧接点出力に応じた外部割込入力信号や、外部割込入力信号に応じてメロディ番号の選択を行なう外部割込メロディ選択スイッチの入力信号等である。なお、外部割込出力選択スイッチ、メロディ選択スイッチ、外部割込メロディ選択スイッチは、プログラムタイマー本体１００の内部に設けてある。また、スイッチ基板１００ｃからの入力はキーマトリクス１６３を介して入力され、キーマトリクス１６３はマイクロコンピュータの周辺構成として備えている。
【０１３７】
また、本体制御回路１５４は、手動出力切換スイッチ１５９（制御出力手動操作スイッチ１０４ａ，１０４ｂ）、アナログ時計調整スイッチ１０４ｃの操作状態、外部割込入力の判定状態、メロディ選択スイッチ、外部割込出力選択スイッチ、外部割込メロディ選択スイッチの各設定状態を記憶する記憶回路１６２と、本体Ｉ／Ｏ部１７２と設定器Ｉ／Ｏ部２７２とを介して設定器２００との間の通信を行う通信回路１６１とを内蔵している。
【０１３８】
さらの、この通信回路１６１は、電波受信ユニット３００に備えた通信回路３５４との間で通信を行い、時刻コード形成パルス、時刻形成パルス信頼度、電界強度を示す信号を受信する。この通信回路１６１には、電波受信ユニット３００から送られてくる電気信号の電圧を変換する信号電圧変換手段１４２を含んでいる。
【０１３９】
また、プログラムタイマー本体１００には、設定器２００の報知音声録音再生回路２５２からの報知音声信号を増幅して各種のチャイム音あるいはメロディ等の報知音声を増幅する報知音声増幅回路１６４を備え、報知音声増幅回路１６４は報知音声信号増幅回路１６５に接続し、報知音声信号増幅回路１６５はコネクタＣＮ２を介して内蔵スピーカ１６６に接続している。
【０１４０】
さらには、マイクからのマイク音声信号は、マイク信号入力ジャック１６７、増幅回路（マイク）１６８を介して報知音声信号増幅回路１６５に入力しており、報知音声信号増幅回路１６５の出力は、内蔵スピーカ１６６とともに端子台ＴＢ１の外部スピーカ出力端子に接続しており、外部スピーカ出力端子にスピーカ部６００等の外部スピーカを接続して報知音声を出力することができる。
【０１４１】
プログラムタイマー本体１００が回路１，回路２の各外部機器を制御する制御出力を発生するために備えるリレー駆動回路１６９は、２巻線タイプのラッチングリレーからなるリレーと、本体制御回路１５４の制御に応じてリレーの駆動制御を行うリレー駆動制御回路とで構成され、その制御出力は端子台ＴＢ１から出力される。また、本体制御回路１５４には、２巻線タイプのラッチングリレーではなく１巻線タイプのステイブルリレーが使用できるようにステイブルリレー駆動手段を備えている。
【０１４２】
また、手動出力切換スイッチ１５９（制御出力手動操作スイッチ１０４ａ，１０４ｂ）の操作によるリレー駆動回路１６９の状態を表示する発光ダイオード等からなるリレー出力中表示回路１７０を備える。
【０１４３】
また、駆動源としてモーターを備えたアナログ時計１５９を駆動するアナログ時計駆動回路１７１は、モーターを駆動制御するモーター駆動回路からなる。
【０１４４】
なお、本体電源回路１５０と本体信号電源回路１５２とにより図１に示す本体電源形成手段１４７を構成し、液晶駆動回路１５６と液晶１６０により出力選択・表示手段１３２を構成し、記憶回路１６２により出力判定状態記憶手段１３４を構成し、本体制御回路１５４により時刻コード化手段１２６、時刻データ生成手段１２７、電波強度判定手段１２８、電波受信制御手段１２９、スイッチ操作判定手段１３０、外部割込入力判定手段１３１、出力選択・表示手段１３２、出力判定手段１３３、出力判定状態記憶手段１３４、時計手段１３５、出力制御手段１３６、信号電圧変換手段１４２、同期出力発生手段１４４、時刻修正手段１４８、電波受信動作制御状態記憶手段１４９を構成し、報知音声増幅回路１６４、報知音声信号増幅回路１６５、内蔵スピーカ１６６により報知音声を発生する報知音声出力手段１３９を構成し、リレー駆動回路１６９により制御出力手段１３７、制御出力手段１３８を構成し、リレー出力中表示回路１７０により手動スイッチ操作表示手段１４１を構成し、アナログ時計駆動回路１７１によりアナログ時計手段１４０を構成し、コネクタＣＮ３ａによりコネクタ１４５を構成し、端子台ＴＢ２により端子台１４６を構成している。
【０１４５】
次に、設定器２００について説明する。設定器制御回路２５３は、中枢的な機能を果たす１つのマイクロコンピュータにプログラムタイマー本体１００の制御機能と設定器２００の制御機能との２つの制御機能を内蔵しているため本体制御機能として使用する場合と設定器制御機能として使用する場合とを切換える本体／設定器切換回路２５４をマイクロコンピュータの周辺構成として備える。さらに、クロック発振回路２５５、起動時などに設定器制御回路２５３をリセットするリセット回路２５６、テスト周波数発振回路２５７も同様にマイクロコンピュータの周辺構成として備える。
【０１４６】
さらに、設定器制御回路２５３は、操作部２６５（スイッチ２０２、モード切換スイッチ２０４）の操作状態を記憶する記憶回路２５８を内蔵するとともに、本体Ｉ／Ｏ部１７２と設定器Ｉ／Ｏ部２７２とを介してプログラムタイマー本体１００との間の通信を行う通信回路２５９を内蔵している。
【０１４７】
また、設定器制御回路２５３の入力部としてキーマトリックス２６６を備え、このキーマトリックス２６６は操作部２６５に接続される。
【０１４８】
さらに、設定器２００は、報知音声記憶部２６３に記憶したチャイム音やメロディやアナウンス等の複数の報知音声信号の再生、録音、編集や、報知音声信号間の出力レベルを調整するために記憶回路２６２に記憶した報知音声信号を呼び出して報知音声録音再生回路２５２へ出力する制御等の中枢的な機能を果たすマイクロコンピューターからなる報知音声制御回路２７３を備えており、その周辺回路としてクロック発振回路２６７，２７４と上述のリセット回路２５６とを設けている。
【０１４９】
記憶回路２６２は、複数の報知音声信号を記憶する報知音声記憶部２６３と、操作部２６５によって設定されたプログラムを記憶するプログラム記憶部２６４とから構成される。
【０１５０】
また、報知音声を外部機器から録音する場合は、設定器２００の録音信号入力ジャック２６８から入力された報知音声信号が増幅回路２６９を介して報知音声録音再生回路２５２に入力され、報知音声録音再生回路２５２から報知音声制御回路２７３を介して報知音声記憶部２６３に記憶されることで行なわれる。
【０１５１】
また、報知音声の再生時には、報知音声記憶部２６３に記憶した報知音声信号を呼び出して、報知音声制御回路２７３、報知音声録音再生回路２５２を介して設定器内蔵スピーカ２７０から報知音声を出力する。
【０１５２】
また、キー受付音発振回路２７１を備えて、操作部２６５の操作に伴うキーマトリックス２６６動作時に受付音をスピーカー２７０から出力し、誤操作した場合には警報音をスピーカー２７０から出力するようになっている。
【０１５３】
なお、設定器制御回路２５３により図１に示すプログラム設定手段２３０ａ，２３０ｂ、時刻修正手段２３３、表示制御手段２３８、時計設定手段２３９、時計手段２４０、報知音声制御手段２４２、プログラム判断手段２４５、電波受信制御手段２４６、同期入力判定手段２４９、同期スタート信号発生手段２３６、コネクタ接続判定手段２３７、電波受信制御手段２４６を構成し、ＬＣＤ駆動回路２６０、液晶ディスプレイ（ＬＣＤ）２６１により表示手段２３５を構成し、記憶回路２６２によりプログラム記憶手段２３４，報知音声信号記憶手段２４１を構成し、スピーカ２７０で報知音声確認手段２４４を構成している。
【０１５４】
次に、電波受信ユニット３００について説明する。電波受信制御回路３５１は、中枢的な機能を果たす１つのマイクロコンピュータで構成され、バーアンテナ３５２が電波受信回路３５３を介して接続されるとともに、通信回路３５４を介してプログラムタイマー本体１００に接続され、さらにはクロック発振回路３５６や起動時などに電波受信制御回路３５１をリセットするリセット回路３５５などを電波受信制御回路３５１の周辺回路として備えている。
【０１５５】
また、電波受信制御回路３５１はＬＥＤ駆動回路を備えており、受信周波数表示ＬＥＤ３０６、電界強度表示ＬＥＤ３０７、時刻コード形成パルス信頼度表示ＬＥＤ３０８、電源状態表示ＬＥＤ３１０などのＬＥＤを点灯又は消灯させている。
【０１５６】
さらに、受信ユニット電源回路３５０は、電波受信ユニット３００の各回路に電源を供給するもので、プログラムタイマー本体１００に電源が通電されて、端子台ＴＢ２−ＴＢ３間にケーブルＬを接続してプログラムタイマー本体１００と電波受信ユニット３００とが電気的に接続されているときは、プログラムタイマー本体１００の本体電源回路１５０から受信ユニット電源回路３５０に電源が供給されて、電波受信ユニット３００の各回路が動作する。
【０１５７】
また、受信ユニット電源回路３５０には、プログラムタイマー本体１００から電波受信ユニット３００を離しても使用できるように、外部電源が接続できるコネクタＣＮ１ｃを備えている。さらに、この外部電源としてプログラムタイマー本体１００の停電補償用電池１５３が使用できるように電波受信ユニット３００のコネクタＣＮ１ｃとプログラムタイマー本体１００のコネクタＣＮ１ａとは互いに接続可能に構成される。
【０１５８】
また、通信回路３５４は、プログラムタイマー本体１００に備えた通信回路１６１との間で、時刻コード形成パルス、時刻形成パルス信頼度、電界強度を示す各信号を伝送する。この通信回路３５４には、電波受信制御回路３５１から送られてくる電気信号の電圧を変換する信号電圧変換手段３３９を含んでいる。
【０１５９】
なお、電波受信制御回路３５１により図１における周波数選択手段３３２、時刻コード形成パルス信頼度判定手段３３４、電界強度判定手段３３６、受信周波数識別信号生成手段３３７、電源状態判定手段３３８を構成し、受信周波数表示ＬＥＤ３０６、電界強度表示ＬＥＤ３０７、時刻コード形成パルス信頼度表示ＬＥＤ３０８、電源状態表示ＬＥＤ３１０により電界強度表示手段３３５ａ、受信周波数表示手段３３５ｂ、時刻コード形成パルス信頼度表示手段３３５ｃ、電源状態表示手段３３５ｄを構成し、電波受信回路３５３、バーアンテナ３５２により電波受信手段３３１、時刻コード形成パルス生成手段３３３を構成し、電波受信ユニット電源回路３５０により電波受信ユニット電源形成手段３４０を構成する。
【図面の簡単な説明】
【０１６０】
【図１】本発明の実施形態のプログラムタイマーの概略構成を示す図である。
【図２】同上のプログラムタイマーを示す斜視図である。
【図３】同上のプログラムタイマー本体と設定器とを示す分解斜視図である。
【図４】同上の設定器を示す正面図である。
【図５】同上の設定器の裏面を示す斜視図である。
【図６】（ａ）〜（ｄ）同上の時刻コード形成パルスの生成動作を示す波形図である。
【図７】同上の受信曜日確認中の表示部を示す図である。
【図８】プログラムタイマー本体の動作のメインルーチンの一部を示すフローチャート図である。
【図９】電波受信処理を示すフローチャート図である。
【図１０】検波データ処理を示すフローチャート図である。
【図１１】検波データ処理を示すパルス波形図である。
【図１２】（ａ）〜（ｉ）自動受信時のデータ分析処理の流れを示す図である。
【図１３】（ａ）〜（ｊ）強制受信時のデータ分析処理の流れを示す図である。
【図１４】同上のプログラムタイマーを用いた制御の一構成例を示す図である。
【図１５】同上のプログラムタイマー本体の具体回路構成を示す図である。
【図１６】同上の設定器の具体回路構成を示す図である。
【図１７】同上の電波受信ユニットの具体回路構成を示す図である。
【符号の説明】
【０１６１】
１００  プログラムタイマー本体
２００  設定器
３００  電波受信ユニット
１２６  時刻コード化手段
１２７  時刻データ生成手段
１２９，２４６  電波受信制御手段
１３５，２４０  時計手段
１３６  出力制御手段
１４８，２３３  時刻修正手段
２３０ａ，２３０ｂ  プログラム設定手段
２３４  プログラム記憶手段
３３１  電波受信手段
３３２  周波数選択手段
３３３  時刻コード形成パルス生成手段